(57)【要約】【課題】スキャナーの体積を小さくし、スキャナーの機能や使用上の利便性を向上させる。【解決手段】本発明に係るスキャナーの伝達装置は、スキャナーの台座内に画像取り込みモジュールを設置し、台座の両側にホイールと第一ロールをピボットし第一ロールの下端に駆動ロールを設置し、ホイール、第一ロールと駆動ロールの周囲にベルトコンベアを接合し、且つホイールと駆動ロールの間に第二ロールをピボットしホイールと駆動ロールの間のベルトコンベアを支持するのに用いられ、ホイール、第二ロールの間のベルトコンベアとホイール、第一ロールの間のベルトコンベアを平行にし、駆動ロールによりベルトコンベアを駆動し画像取り込みモジュールをシフトさせ、画像取り込みモジュールと台座の間のギャップを縮小させることにより台座の体積を小さくする。【選択図】図３
2008152223.tif 000002
【特許請求の範囲】
【請求項１】
画像取り込みモジュールをシフトさせるスキャナーの伝達装置であって、
ホイールと、
第一ロールと、
前記第一ロール下端に位置する駆動ロールと、
一端が前記ホイールに接合し、他端が前記第一ロールと前記駆動ロールに接合し、前記駆動ロールにより駆動し回転するベルトコンベアと、
前記ホイールと前記駆動ロールの間にピボットされ、前記ホイールと前記駆動ロールとの間の前記ベルトコンベアを支持するための第二ロールとを含み、
前記ホイールと前記第二ロールとの間の前記ベルトコンベアと、前記ホイールと前記第一ロールとの間の前記ベルトコンベアとを、平行にすることを特徴とする、
スキャナーの伝達装置。
【請求項２】
前記第一ロールのサイズが前記ホイールのサイズより小さいことを特徴とする、請求項１に記載するスキャナーの伝達装置。
【請求項３】
前記第一ロールのサイズが前記駆動ロールのサイズより小さいことを特徴とする、請求項１に記載するスキャナーの伝達装置。
【請求項４】
前記駆動ロールは動力モジュールに接続されることにより前記駆動ロールが回転することを特徴とする、請求項１に記載するスキャナーの伝達装置。
【請求項５】
前記第二ロールのサイズが前記駆動ロールのサイズより小さいことを特徴とする、請求項１に記載するスキャナーの伝達装置。
【請求項６】
前記ベルトコンベアは前記画像取り込みモジュールを前記ホイールと前記第一ロールの間で往復シフトさせることを特徴とする、請求項１に記載するスキャナーの伝達装置。
【請求項７】
前記ベルトコンベアは少なくとも一つの固定点により前記画像取り込みモジュールに接続することを特徴とする、請求項１に記載するスキャナーの伝達装置。
【請求項８】
前記固定点がネジであり、前記画像取り込みモジュールのネジ穴にねじ込むことを特徴とする、請求項１に記載するスキャナーの伝達装置。
【請求項９】
前記ベルトコンベアがベルトであることを特徴とする、請求項１に記載するスキャナーの伝達装置。
【請求項１０】
前記ベルトコンベアがワイヤーロープであることを特徴とする、請求項１に記載するスキャナーの伝達装置。
【請求項１１】
前記ベルトコンベアが張力の調整をすることを特徴とする、請求項１０に記載するスキャナーの伝達装置。
【請求項１２】
スキャナーの台座内に取り付けられるスキャナーの伝達装置であって、
前記台座内に配置される画像取り込みモジュールと、
前記台座の一端にピボットされるホイールと、
前記台座にピボットされ前記ホイールの一側から離れている第一ロールと、
前記第一ロールの下端に位置する駆動ロールと、
一端が前記ホイールに接合し他端が前記第一ロールと前記駆動ロールとに接合するベルトコンベアと、
前記ホイールと前記駆動ロールとの間にピボットされ、前記ホイールと前記駆動ロールとの間の前記ベルトコンベアを支持するための第二ロールと、を含み、
前記ホイールと前記第二ロールとの間の前記ベルトコンベアと、前記ホイールと前記第一ロールとの間の前記ベルトコンベアを平行にし、
前記駆動ロールが前記ベルトコンベアを駆動し、前記画像取り込みモジュールをシフトさせ、
前記画像取り込みモジュールが前記第一ロールの上端までシフトすると、前記画像取り込みモジュールの変位の起点を前記台座の縁に近付けさせることにより、前記台座の体積を小さくさせることを特徴とする、
スキャナーの伝達装置。
【請求項１３】
前記画像取り込みモジュールが前記台座の縁に近付いていることを特徴とする、請求項1２に記載するスキャナーの伝達装置。
【請求項１４】
前記第一ロールのサイズが前記ホイールのサイズより小さいことを特徴とする、請求項1２に記載するスキャナーの伝達装置。
【請求項１５】
前記第一ロールのサイズが前記駆動ロールのサイズより小さいことを特徴とする、請求項1２に記載するスキャナーの伝達装置。
【請求項１６】
前記駆動ロールは動力モジュールに接続されることにより前記駆動ロールが回転することを特徴とする、請求項１２に記載するスキャナーの伝達装置。
【請求項１７】
前記第二ロールのサイズが前記駆動ロールのサイズより小さいことを特徴とする、請求項１２に記載するスキャナーの伝達装置。
【請求項１８】
前記ベルトコンベアは前記画像取り込みモジュールを前記ホイールと前記第一ロールとの間で往復シフトさせることを特徴とする、請求項1２に記載するスキャナーの伝達装置。
【請求項１９】
前記ベルトコンベアは少なくとも一つの固定点により前記画像取り込みモジュールに接続されることを特徴とする、請求項1２に記載するスキャナーの伝達装置。
【請求項２０】
前記固定点がネジであり、前記画像取り込みモジュールのネジ穴にねじ込むことを特徴とする、請求項1９に記載するスキャナーの伝達装置。
【請求項２１】
前記ベルトコンベアがベルトであることを特徴とする、請求項1２に記載するスキャナーの伝達装置。
【請求項２２】
前記ベルトコンベアがワイヤーロープであることを特徴とする、請求項1２に記載するスキャナーの伝達装置。
【請求項２３】
前記ベルトコンベアが張力の調整をすることを特徴とする、請求項２２に記載するスキャナーの伝達装置。
【発明の詳細な説明】
【技術分野】
【０００１】
本発明は伝達装置で、特にスキャナーの伝達装置に係わる。
【背景技術】
【０００２】
科学技術の進歩により、スキャナーはすでにパソコン周辺機器として珍しくないものになり、多機能OA機器に内蔵されているスキャナーは原稿をスキャンする機能を提供している。スキャナーは主に内部の画像取り込み装置により原稿の図形、画像、文字を取り込み、デジタル信号に変換してからパソコンに伝送し処理を行っている。
【０００３】
図１、図２に従来のスキャナーの伝達機構を示す。スキャナーの台座A1内に設置されている伝達機構A2は伝送装置A21とモーターA22を含み、そのうち伝送装置A21はアクティブホイールA211,パッシブホイールA212, リング状のベルトコンベアA213により構成され、リング状のベルトコンベアA213はそれぞれアクティブホイールA211とパッシブホイールA212に接合しており、伝送装置A21により画像取り込み装置A3をスキャナーの台座A1内で往復移動させ原稿のスキャンを行う。
【０００４】
従来の伝達機構は画像取り込み装置A3のサイズによる制限、さらにモーターA22とアクティブホイールA211の位置による制限を受けるので、画像取り込み装置A3が台座A1で移動するとき、画像取り込み装置A3のシフト時にアクティブホイールA211にぶつかり損傷させることを防ぐために、画像取り込み装置A3はアクティブホイールA211に近付くことができないので、画像取り込み装置A3と台座A1の間にギャップを保たせるために緩衝空間を作ると、ムダなスペースを生じさせスキャナーの体積を増加することになる。
【発明の開示】
【発明が解決しようとする課題】
【０００５】
以上のことから分かるように、スキャナーの体積を如何に小さくし、スキャナーの機能や使用上の利便性を向上させることが、本発明人及び関連技術の領域に従事する者の取り組むべき改善課題である。
【課題を解決するための手段】
【０００６】
これに鑑み、本発明はスキャナーの伝達装置を提供するもので、画像取り込みモジュールをシフトさせる伝達装置は、ホイールと、第一ロールと、第一ロール下端に位置する駆動ロールと、一端がホイールに接合し他端が第一ロールと駆動ロールとに接合し、前記駆動ロールにより駆動し回転するベルトコンベアと、ホイールと駆動ロールとの間にピボットされ、ホイールと駆動ロールの間のベルトコンベアを支持するための第二ロールと、を含み、ホイールと第二ロールとの間のベルトコンベアと、ホイールと第一ロールとの間のベルトコンベアとを、平行にすることを含む。
【０００７】
本発明はスキャナーの台座内に取り付けられ、駆動ロールによりベルトコンベアを駆動し画像取り込みモジュールをシフトさせ、画像取り込みモジュールをホイールと第一ロールとの間でシフトさせ画像の取り込みを行い、第一ロールと第二ロールとを設置することによりベルトコンベアのルートを変更し、画像取り込みモジュールを第一ロールの上端に移動させ、画像取り込みモジュールの変位の起点を前記台座の縁に近付けさせることにより、画像取り込みモジュールと台座との間のギャップを減少でき、さらに台座の体積を小さくさせるという目的を達成することができる。
【０００８】
第一ロールのサイズはホイールのサイズより小さく、画像取り込み装置はベルトコンベアに従って第一ロールの上端までシフトする。
また、画像取り込みモジュールは台座の縁の位置まで近付くことができるので、画像取り込みモジュールと台座の間にはギャップが生じず台座の体積が小さくなる。
【０００９】
本発明の駆動ロールはさらに動力モジュールに接続されることにより駆動ロールが回転し、ベルトコンベアは画像取り込みモジュールをシフトできる。
また、ベルトコンベアはベルトかワイヤーロープで、張力を調整できるので、張力を調整するためのバネは必要ない。
【００１０】
本発明はスキャナーの伝達装置を提供するもので、スキャナーの台座内に取り付けられている伝達装置は、台座内に配置される画像取り込みモジュールと、
台座の一端にピボットされるホイールと、台座にピボットされホイールの一側から離れている第一ロールと、第一ロールの下端に位置する駆動ロールと、一端がホイールに接合し他端が第一ロールと駆動ロールとに接合するベルトコンベアと、ホイールと駆動ロールとの間にピボットされホイールと駆動ロールとの間のベルトコンベアを支持するための第二ロールと、を含み、ホイールと第二ロールとの間のベルトコンベアと、ホイールと第一ロールとの間のベルトコンベアとを平行にすることを含む。
【００１１】
本発明は駆動ロールによりベルトコンベアを駆動し、画像取り込みモジュールをシフトさせ、画像取り込みモジュールをホイールと第一ロールとの間でシフトさせ画像の取り込みを行い、第一ロールと第二ロールとを設置することによりベルトコンベアのルートを変更し、画像取り込みモジュールを第一ロールの上端に移動させ、画像取り込みモジュールの変位の起点を前記台座の縁に近付けさせることにより、画像取り込みモジュールと台座との間のギャップを減少でき、さらに台座の体積を小さくさせるという目的を達成することができる。
【００１２】
第一ロールのサイズはホイールのサイズより小さく、画像取り込み装置はベルトコンベアに従って第一ロールの上端までシフトする。
また、画像取り込みモジュールは台座の縁の位置まで近付くことができるので、画像取り込みモジュールと台座の間にはギャップが生じず台座の体積が小さくなる。
【００１３】
本発明の駆動ロールはさらに動力モジュールに接続されることにより駆動ロールが回転し、ベルトコンベアは画像取り込みモジュールをシフトできる。
また、ベルトコンベアはベルトかワイヤーロープで、張力を調整できるので、張力を調整するためのバネは必要ない。
【００１４】
本発明に関わる最適な実施例とその効果については、以下に図を添えて説明を行うことにする。
【発明を実施するための最良の形態】
【００１５】
[実施例]
図３、図４、図５にスキャナーの伝達装置の実施例を示す。図３は伝達装置の側面概略図で、図４は画像取り込みモジュールのシフト動作を示す概略図（一）で、図５は画像取り込みモジュールのシフト動作を示す概略図（二）である。
【００１６】
スキャナーの伝達装置は画像取り込みモジュール１０、ホイール２０、第一ロール３０、駆動ロール４０、ベルトコンベア５０、第二ロール６０を含む。
【００１７】
画像取り込みモジュール１０はスキャナー８の台座８０内に設置され、原稿の図形、画像、文字を取り込む。
【００１８】
ホイール２０はスキャナー８の台座８０の一端にピボットされる。
【００１９】
第一ロール３０は台座８０の一端にピボットされ、第一ロール３０とホイール２０はそれぞれ同一壁面の両側に位置する。
【００２０】
駆動ロール４０は台座８０の一端にピボットされ、駆動ロールは第一ロール３０の下端に位置する。
【００２１】
ベルトコンベア５０は一端がホイール２０に接合し他端が第一ロール３０と駆動ロール４０に接合し、ホイール２０、第一ロール３０、駆動ロール４０はベルトコンベア５０により同時に回転する。
【００２２】
上記説明のベルトコンベア５０はベルトかワイヤーロープであり、ベルトコンベア５０はまた張力を調整できるので、張力を調整するためのバネは必要ない。
【００２３】
このほか、ベルトコンベア５０は少なくとも一つの固定点により前記画像取り込みモジュール１０に接続し、そのうち固定点がネジであり、画像取り込みモジュール１０の対応しているネジ穴にねじ込み、画像取り込みモジュール１０をベルトコンベア５０に従ってシフトさせることができる。
【００２４】
第二ロール６０は台座８０の一端にピボットされ、ホイール２０と駆動ロール４０の間に位置し、ホイール２０と駆動ロール４０の間のベルトコンベア５０を支持することにより、ホイール２０、第一ロールの間のベルトコンベア５０を上昇させホイール２０、第二ロール６０の間のベルトコンベア５０を平行にする。
【００２５】
本発明の構造にはさらに台座８０に設置されている動力モジュールが含まれている。動力モジュールの出力動力は駆動ロール４０を回転させ、駆動ロール４０によりベルトコンベア５０が回転する。そのうち動力モジュールはステッピングモータ或いは直流モーターである。
【００２６】
上記説明の第一ロール３０のサイズはホイール２０のサイズより小さく、また駆動ロール４０よりも小さい。第二ロール６０のサイズはホイール２０のサイズより小さく、また駆動ロール４０よりも小さい。
【００２７】
図４、図５に示すように、動力モジュールが駆動ロール４０を回転させるとき、駆動ロール４０はベルトコンベアを駆動し回転させ、さらにベルトコンベア５０により画像取り込みモジュール１０はホイール２０と第一ロール３０の間で往復シフトを行い、画像取り込みモジュール１０は原稿の図形、画像、文字を取り込むことができる。
【００２８】
また、画像取り込みモジュール１０は台座８０の縁の位置まで近付くことができるので、画像取り込みモジュール１０と台座８０の間にはギャップが生じず台座８０の体積が小さくなる。
【００２９】
本発明の提案する構造は第一ロール３０と第二ロール６０を設置することによりベルトコンベア５０のルートを変更することで、従来の伝達機構の画像取り込み装置がアクティブホイールに近付くことができないという問題を解決できる。これにより画像取り込みモジュール１０と台座８０の間のギャップを減少させスペースを省くことができ、画像取り込みモジュール１０が第一ロール３０或いは駆動ロール４０にぶつかることなく、スキャナー８の台座８０の体積を小さくさせるという目的を達成することができる。スキャナー８の占める空間が小さくなるだけでなく、使用上、携帯時の利便性も向上し、ユーザーがスキャナーを配置するとき都合が良くなる。また、スキャナー８の組み立てが簡単になるので、組み立て工程が減少し、製造時間も短縮できることにより、製造コストを下げるという目的を達成することができる。
【００３０】
本発明では最適な実施例の説明を上記に示したが、本考案の主張する特許範囲はこれに限られるものではない。その特許保護範囲は前記に示す特許請求の範囲と同等の領域で定められる。この領域を熟知している技術者が、本特許の主旨と範囲内から外れることなく、手を加え、本考案が示している主旨の下で変更或いは設計されているものも、上記の特許請求の範囲内に含まれるべきである。
【図面の簡単な説明】
【００３１】
【図１】従来のスキャナーの伝達機構を示す傾斜外観図。
【図２】従来のスキャナーの伝達機構を示す側面外観図。
【図３】本発明の伝達装置を示す側面概略図。
【図４】本発明の画像取り込みモジュールのシフト動作を示す概略図（一）
【図５】本発明の画像取り込みモジュールのシフト動作を示す概略図（二）
【符号の説明】
【００３２】
１０     画像取り込みモジュール
２０     ホイール
３０     第一ロール
４０     駆動ロール
５０     ベルトコンベア
６０     第二ロール
８       スキャナー
８０     台座
A１      台座
A２      伝達機構
A２１    伝送装置
A２１１  アクティブホイール
A２１２  パッシブホイール
A２１３  リング状のベルトコンベア
A２２    モーター
A３      画像取り込み装置
【図１】
2008152223.tif 000003
【図２】
2008152223.tif 000004
【図３】
2008152223.tif 000005
【図４】
2008152223.tif 000006
【図５】
2008152223.tif 000007